(57)【特許請求の範囲】
【請求項１】
本体と、
この本体に開閉可能に設けられた扉体と、
この扉体に開閉可能に設けられた開閉体と、
前記扉体を前記本体に閉じた状態で施解錠する錠前装置であって、前記開閉体の内側に設けられ個人を特定可能とする個人特定表示が示された特定物が装着される特定物装着部、およびこの特定物装着部に特定物が装着されていない状態で施錠状態を維持するとともに、特定物装着部に特定物が装着された開閉体が閉じられことにより扉体を解錠する錠前機構を有する錠前装置とを具備し、
前記錠前機構は、
前記開閉体が扉体に閉じられるときに特定物装着部に装着されている特定物で押動される押動体と、
スライド可能に設けられ、一方への移動によって扉体を施錠するとともに開閉体を解錠し、前記押動体が押動されることで他方へ移動して扉体を解錠するとともに開閉体を施錠する施錠体とを有している
ことを特徴とする開閉装置。
【請求項２】
鍵を用いて解錠可能とする管理機本体と、
この管理機本体の鍵が扉体で開閉される本体内に収納される請求項１記載の開閉装置と
を具備していることを特徴とする管理機。
【発明の詳細な説明】
【０００１】
【発明の属する技術分野】
本発明は、鍵を使用せずに解錠できる錠前装置を用いた開閉装置および管理機に関する。
【０００２】
【従来の技術】
従来、例えば、金融機関や流通機関などにおいて、管理機により重要な鍵やその他の保管を必要とする重要物などの管理がなされている。この管理機は、電子制御によって動作するもので、鍵などを施錠状態で保管し、例えばＩＤカードなどによる使用者の照合により解錠して鍵などを取り出せるようにしており、このとき、各々の鍵の使用可能者を制限したり、鍵の持ち出しや返却状況などの使用履歴を残すなどして、鍵などの運用を管理している。
【０００３】
ところで、管理機は、電子制御であるため、停電や故障などの非常時に鍵などが使用できなくなるおそれがあるため、このような非常時に管理機の錠前装置を機械的に解錠できるようした非常鍵を備えている。この非常鍵は、特定の保管者が保管したり、当番制で保管者を変えて保管する運用方法が採られている。
【０００４】
【発明が解決しようとする課題】
しかしながら、非常鍵を運用する場合、例えば、災害時に、非常鍵の保管者が管理機の場に居なければ、管理機の錠前装置の解錠ができない問題がある。
【０００５】
また、非常鍵は非常時のみ必要なものであり、その非常時のみ必要な非常鍵を帰宅するときには持ち帰らなければならないなど、常に携帯して持参しなければならず、保管者にとって非常鍵を管理、保管する負担が大きい問題がある。
【０００６】
本発明は、このような点に鑑みなされたもので、鍵を使用せず、個人を特定可能とする個人特定表示が示された特定物を用いて解錠できる錠前装置を用いた開閉装置および管理機を提供することを目的とする。
【０００７】
【課題を解決するための手段】
請求項１記載の開閉装置は、本体と、この本体に開閉可能に設けられた扉体と、この扉体に開閉可能に設けられた開閉体と、前記扉体を前記本体に閉じた状態で施解錠する錠前装置であって、前記開閉体の内側に設けられ個人を特定可能とする個人特定表示が示された特定物が装着される特定物装着部、およびこの特定物装着部に特定物が装着されていない状態で施錠状態を維持するとともに、特定物装着部に特定物が装着された開閉体が閉じられことにより扉体を解錠する錠前機構を有する錠前装置とを具備し、前記錠前機構は、前記開閉体が扉体に閉じられるときに特定物装着部に装着されている特定物で押動される押動体と、スライド可能に設けられ、一方への移動によって扉体を施錠するとともに開閉体を解錠し、前記押動体が押動されることで他方へ移動して扉体を解錠するとともに開閉体を施錠する施錠体とを有しているものである。
【０００８】
そして、錠前機構の施錠体が一方へ移動することによって扉体を施錠するとともに開閉体を解錠し、開閉体が扉体に閉じられるときに特定物装着部に装着されている特定物で押動体が押動されることによって施錠体が他方へ移動して扉体を解錠するとともに開閉体を施錠するので、簡単な構成で、扉体および開閉体の一連の施解錠が可能となる。
【０００９】
請求項２記載の管理機は、鍵を用いて解錠可能とする管理機本体と、この管理機本体の鍵が扉体で開閉される本体内に収納される請求項１記載の開閉装置とを具備しているものである。
【００１０】
そして、請求項１記載の開閉装置を備えたので、管理機本体の鍵を扉体で開閉される本体内に収納して保管可能とし、鍵の保管の負担をなくせる。
【００１１】
【発明の実施の形態】
以下、本発明の一実施の形態を図面を参照して説明する。
【００１２】
図４に管理機を示し、11は本体としての管理機本体で、この管理機本体11には、複数の扉12が開閉可能に配設され、これら扉12の内側には、複数の鍵を管理する鍵管理ユニットや、保管を必要とする重要物などが収容されている。
【００１３】
各扉12は、電磁ロック装置によって施錠されており、通常時には操作パネル13による解錠操作で電気的に電磁ロック装置が解錠され、停電時や故障時などの非常時には非常鍵Ｋ（図３(b)参照）による解錠操作で機械的に電磁ロック装置が解錠される。
【００１４】
非常鍵Ｋは、管理機本体11の側面に設けられた開閉装置21内に収容されている。
【００１５】
次に、図３に開閉装置21を示し、管理機本体11の側板22に横長の開口部23が形成され、この開口部23の内側に非常鍵Ｋを収容する収納ボックス24が配設されている。
【００１６】
開口部23には、この開口部23を開閉する横長の扉体25が配設され、この扉体25は、一端側（以下、一端を右として説明する）を支点として回動可能とし、前面の右側には横長の開口部26が形成されているとともに他端側（以下、他端を左として説明する）には指を引っ掛けて扉体25を開放操作するための取手部27が形成されている。
【００１７】
扉体25の開口部26には、この開口部26を開閉する開閉体28が配設され、この開閉体28は、下側を支点として手前側に回動可能とし、前面に横長の窓部29が形成され、この窓部29にガラスや透明プラスチックなどの透明板30が配設されている。
【００１８】
扉体25には、扉体25を閉じた状態で施錠するとともに個人を特定可能とする個人特定表示が示された特定物として名札Ｎを利用して解錠する錠前装置41が配設されている。名札Ｎは、板状で、表面に名前、ＩＤ番号、および写真などの個人を特定する個人特定表示が表記され、裏面にポケットの縁などに止めるためのクリップＣが配設されている。
【００１９】
次に、図１および図２に開閉装置21および錠前装置41の内部構造を示す。
【００２０】
扉体25は、板状で、その右側が開口部23の右側の内面縁部に取り付けられたヒンジ31によって回動可能に支持されている。扉体25の内面には錠前装置41を収容するカバー32が取り付けられ、このカバー32は扉体25に対して着脱可能で取外工具を用いることによって取り外すことができる。
【００２１】
開閉体28は、前面板33およびこの前面板33の両側から折曲された側面板34を有し、側面板34の下端が扉体25の内面に取り付けられた支持部材35に支軸36を介して回動可能に取り付けられている。
【００２２】
錠前装置41は、開閉体28の内側に配設された特定物装着部としての名札装着部42、扉体25に配設された錠前機構43、収納ボックス24の左側に配設された係止機構44を有している。
【００２３】
名札装着部42は、開閉体28の前面板33の内面で窓部29の両側に取り付けられた両側の名札ガイド部46、および窓部29の下側に取り付けられた下側の名札支え部47を有し、両側の名札ガイド部46により上方から挿入される名札Ｎの両側をガイドするとともに挿入された名札Ｎを開閉体28の前面板33の内面との間に保持し、名札支え部47により両側の名札ガイド部46に挿入された名札Ｎの下部を支える。右側の名札ガイド部46には開閉体28の前面板33の内面に対して略直角に突出する係合部48が設けられ、この係合部48に係合孔49が設けられている。
【００２４】
また、錠前機構43は、カバー32に取り付けられたベース50を有し、このベース50はカバー32に直接取り付けられる第１のベース51、およびこの第１のベース51に取り付けられる第２のベース52を有している。第１のベース51と第２のベース52との間には、左右方向に貫通するスリット状のガイド溝53が形成され、このガイド溝53に扉体25の内面と略平行な左右方向にスライド可能に施錠体54が配設されている。施錠体54は、左右方向に長尺の板部55を有し、この板部55の長手方向（スライド方向）の右端には右方向（開閉体施錠方向）への移動時に閉状態の開閉体28に係合する、つまり係合部48の係合孔49に係合して開閉体28を施錠する開閉体施錠部56が形成され、左端には左方向（扉体施錠方向）への移動時に係止機構44に係合して扉体25を施錠する扉体施錠部57が形成されている。扉体施錠部57は、板部55から略Ｌ字形に折曲形成され、係止機構44と係合する係合孔58が形成されている。カバー32には扉体施錠部57が挿通される挿通窓59が形成されている。
【００２５】
施錠体54の板部55の上下縁には、左側および中間部の各領域に突縁部60が形成され、これら突縁部60間の中間部および右側の各領域に突縁部60の部分より板部55の上下幅が幅狭となる溝縁部61がそれぞれ形成されている。
【００２６】
施錠体54の板部55の中央には、開口62が形成され、この開口62の右側から左側に向けて突片63が突出形成され、この突片63の周囲に付勢手段としてのスプリング64が配設されている。スプリング64は第１のベース51と第２のベース52との間に形成された溝部65内に配設され、ベース50に対して施錠体54を右方向へ向けて付勢している。
【００２７】
第１のベース51および第２のベース52には、ガイド溝53の上下縁位置で、開閉体28の前面板33に対向する方向を軸方向とする複数のピン孔66が形成され、これら各ピン孔66に、押動体としてのピン67が軸方向にスライド可能にそれぞれ配設されているとともに、各ピン67を開閉体28の方向つまり名札装着部42の方向へ向けて付勢する付勢手段としてのスプリング68がそれぞれ配設されている。各ピン67は、第１のベース51側から第２のベース52側にかけて順に、大径部69、小径部70、大径のストッパ部71および小径の当接部72を有し、当接部72が第２のベース52のピン孔66から突出されるとともに、ストッパ部71が第２のベース52のピン孔66の開口部分に小径に設けられた縁部73に当接して名札装着部42へ向けた移動が規制される。上下に位置するピン67の大径部69間には、施錠体54の溝縁部61の部分が係合可能とするとともに突縁部60の部分は係合不可とし、小径部70間には、施錠体54の突縁部60および溝縁部61とも係合可能としている。
【００２８】
また、係止機構44は、係止ピン75を有し、この係止ピン75は、側板22の内面に取付部材76を介して取り付けられたガイド筒77によって開口部23に略平行な左右方向を軸方向としてスライド可能に支持され、両端にはガイド筒77に対して抜け止めする止めリング78が取り付けられ、右側には係止ピン75を右方向に付勢する付勢手段としてのスプリング79が配設されている。係止ピン75の右端には開口部23側に対向して斜めに切り欠かれたガイド部80が形成されている。図３(b)に示すように、係止ピン75の右端は収納ボックス24に形成された孔部81を通じて収納ボックス24内に進退可能に突出されている。
【００２９】
次に、開閉装置21の作用を説明する。
【００３０】
図１に示すように、収納ボックス24内に非常鍵Ｋが収容され、収納ボックス24の前面の開口部23が扉体25で閉じられ、その扉体25が錠前装置41で施錠されている状態では、各ピン67がスプリング68の付勢で開閉体28の方向に移動し、大径部69がガイド溝53に進入し、当接部72が名札装着部42に突出している。施錠体54の溝縁部61が上下のピン67間に位置し、施錠体54はスプリング64で右方向に付勢されているが、施錠体54の突縁部60がピン67に当接して右方向への移動が規制されている。したがって、施錠体54が左方向に移動している位置で保持され、扉体施錠部57がカバー32の挿通窓59を通じて左方向に突出し、扉体施錠部57の係合孔58が係止ピン75に係合し、扉体25の開放を不可とする施錠状態にある。
【００３１】
施錠体54の開閉体施錠部56は開閉体28の係合部48から左方向に外れており、開閉体28は扉体25に対して自由に開閉可能としている。
【００３２】
そして、扉体25を解錠して開放する場合には、開閉体28を開き、開閉体28の内側の名札装着部42に名札Ｎを上方から挿入する。つまり、名札Ｎを開閉体28の内面と両側の名札ガイド部46との間に上方から挿入し、名札Ｎの下部を名札支え部47に当接させる。
【００３３】
名札Ｎを装着した開閉体28を扉体25に閉じる方向に回動させることにより、名札Ｎが各ピン67の当接部72に当接し、各ピン67がスプリング68の付勢に抗してベース50内に押動される。
【００３４】
開閉体28が扉体25に閉じた時点で、図２に示すように、各ピン67の小径部70がガイド溝53に一致し、上下のピン67間への施錠体54の突縁部60の進入が許容される。そのため、スプリング64による付勢で施錠体54が右方向に移動し、右端の開閉体施錠部56が開閉体28の係合部48の係合孔49に係合して開閉体28を開放不可に施錠し、左端の扉体施錠部57が係止ピン75から右方向に離反し、扉体25が解錠される。
【００３５】
したがって、扉体25を開放し、収納ボックス24内の非常鍵Ｋを取り出すことができる。扉体25の解錠状態では、開閉体28が扉体25に施錠されているため、名札Ｎを取り出すことはできない。開閉体28の名札装着部42に装着された名札Ｎは、開閉体28の窓部29を通じて視認でき、誰が解錠したのかを特定できる。
【００３６】
また、収納ボックス24に非常鍵Ｋを収容し、扉体25を閉じて施錠する場合には、扉体25を開き、取外工具によってカバー32を扉体25から取り外し、施錠体54を扉体施錠部57側に移動させて開閉体施錠部56を開閉体28の係合部48から外し、開放の許容された開閉体28を開く。開閉体28が開くことで、名札装着部42の名札Ｎで押動されていた各ピン67がスプリング68の付勢で開閉体28の方向に移動し、大径部69がガイド溝53に進入し、この大径部69で施錠体54の突縁部60との当接を介して施錠体54の右方向への移動を規制する。名札装着部42から名札Ｎを抜き外し、カバー32を元の状態に戻す。したがって、錠前装置41は、解錠前の施錠状態に復帰する。
【００３７】
収納ボックス24に非常鍵Ｋを収容し、開いている扉体25を閉じることにより、施錠体54の扉体施錠部57が係止ピン75のガイド部80に当接し、この係止ピン75をスプリング79に抗して左方向に押動させる。扉体25が閉じた時点で、扉体施錠部57の係合孔58が係止ピン75に一致して係合し、扉体25の開放を不可とする施錠状態に復帰する。
【００３８】
以上のように、名札Ｎを名札装着部42の装着で施錠状態にあった錠前機構43を解錠できる錠前装置41であるので、鍵が不用で、鍵の保管の負担をなくすことができる。
【００３９】
また、扉体25に開閉可能に設けられた開閉体28の内側に名札装着部42を設け、この名札装着部42に名札Ｎが装着された開閉体28を閉じることで錠前機構43により扉体25を解錠するので、扉体25を解錠するための操作性をよくできる。
【００４０】
また、開閉体28の窓部29を通じて名札装着部42に装着された名札Ｎを視認でき、誰が解錠したのかを容易に特定できる。
【００４１】
しかも、錠前機構43により名札装着部42に名札Ｎが装着されて扉体25に閉じられる開閉体28を施錠するので、名札Ｎの取り出しを不可とし、この名札Ｎで誰が解錠したのかを特定でき、履歴として確実に残すことができる。
【００４２】
また、錠前機構43の施錠体54が一方へ移動することによって扉体25を施錠するとともに開閉体28を解錠し、開閉体28が扉体25に閉じられるときに名札装着部42に装着されている名札Ｎでピン67が押動されることによって施錠体54が他方へ移動して扉体25を解錠するとともに開閉体28を施錠するので、簡単な構成で、扉体25および開閉体28の一連の施解錠ができる。
【００４３】
また、開閉装置21を管理機に適用することにより、管理機本体11の非常鍵Ｋを開閉装置21で保管でき、鍵の保管の負担をなくすことができる。
【００４４】
また、名札Ｎは、会社から各個人に貸し与えられている貸与物であり、例えば金融機関などの多くは各個人が名札Ｎを有することからその名札Ｎを有効に利用し、個人を特定できる。また、特定物としては、名札Ｎに限らず、個人を特定可能とする個人特定表示が示されていれば、例えば、カード、印鑑、名刺などでも、同様の作用効果が得られる。
【００４５】
なお、錠前装置41および開閉装置21は、管理機以外にも、その他の開閉機構の施錠部分に適用でき、同様の作用効果が得られる。
【００４６】
【発明の効果】
請求項１記載の開閉装置によれば、個人を特定可能とする個人特定表示が示された特定物を特定物装着部に装着することにより、施錠状態にあった錠前機構を解錠できるので、鍵が不用で、鍵の保管の負担をなくすことができ、しかも、錠前機構の施錠体が一方へ移動することによって扉体を施錠するとともに開閉体を解錠し、開閉体が扉体に閉じられるときに特定物装着部に装着されている特定物で押動体が押動されることによって施錠体が他方へ移動して扉体を解錠するとともに開閉体を施錠するので、簡単な構成で、扉体および開閉体の一連の施解錠ができる。
【００４７】
請求項２記載の管理機によれば、請求項１記載の開閉装置を備えたので、管理機本体の鍵を扉体で開閉される本体内に収納して保管でき、鍵の保管の負担をなくすことができる。
【図面の簡単な説明】
【図１】  本発明の一実施の形態であって、錠前装置を用いた開閉装置の扉体の施錠状態を示し、(a)は開閉体を含む一部を省略した正面図、(b)は平面方向から視る断面図、(c)は側面方向から視する断面図である。
【図２】  同上錠前装置を用いた開閉装置の扉体の解錠状態を示し、(a)は開閉体を含む一部を省略した正面図、(b)は平面方向から視る断面図、(c)は側面方向から視する断面図である。
【図３】  同上開閉装置を示し、(a)は特定物を装着する斜視図、(b)は扉体を開放した斜視図である。
【図４】  同上開閉装置を用いた管理機の斜視図である。
【符号の説明】
11    本体としての管理機本体
21    開閉装置
25    扉体
28    開閉体
41    錠前装置
42    特定物装着部としての名札装着部
43    錠前機構
54    施錠体
67    押動体としてのピン
Ｎ    特定物としての名札
【図１】
0003940256.tif 000002
【図２】
0003940256.tif 000003
【図３】
0003940256.tif 000004
【図４】
0003940256.tif 000005